(57)【要約】  【課題】  ユーザの画像が印刷された写真プリントにより、ユーザが愉快に楽しめるようにすること。  【解決手段】  プリント注文が受け付けられたとき、ユーザの画像や、ユーザの名前や誕生日などのユーザ情報、音声メッセージの再生条件などがサーバ１０に入力される（Ｓ２）。サーバ１０は、音声メッセージのアクセス情報を発行して（Ｓ３）、アクセス情報をユーザの画像とともに同一用紙に印刷する（Ｓ４、Ｓ５）。一方で、音声メッセージがサーバ１０に入力される（Ｓ６）。携帯電話３０がアクセス情報を読み取って（Ｓ７）、サーバ１０にアクセスしてきたとき（Ｓ８）、サーバ１０は現在の条件が再生条件に合致するか否か判定し（Ｓ９）、合致したときにはアクセス情報に対応する音声メッセージを携帯電話３０に送信する（Ｓ１０）。ユーザの誕生日には、ユーザの名前を含んだ音声メッセージ、例えば「○○ちゃん、お誕生日、おめでとう」が出力される。【選択図】  図４
2005182379.tif 000002
【特許請求の範囲】
【請求項１】
ユーザ端末機とネットワークを介して通信を行い、ユーザからプリント注文を受け付けた画像に関連する音声メッセージを該ユーザ端末機に配信するサービスサーバにおいて、
ユーザに聞かせる音声メッセージおよび該音声メッセージの再生条件を管理するデータベースと、
前記データベースで管理すべき音声メッセージおよび再生条件が入力される入力手段と、
前記音声メッセージをネットワークを介して取得するためのアクセス情報を発行して、該アクセス情報を前記音声メッセージおよび再生条件と関連付けて前記データベースに管理させるアクセス情報発行手段と、
前記プリント注文を受け付けた画像とともにアクセス情報をプリンタに送信して、これらの画像およびアクセス情報を同一のプリント媒体に記録させるプリンタ指示手段と、
ユーザ端末機から前記プリント媒体に記録されているアクセス情報を用いてアクセスされたとき、現在の条件が前記データベースで管理されている再生条件に合致しているか否かを判定する判定手段と、
現在の条件が前記再生条件に合致していると判定したとき、前記データベースから前記アクセス情報に対応する音声メッセージを読み出して前記アクセスしたユーザ端末機に送信する送信手段と、
を備えたことを特徴とするサービスサーバ。
【請求項２】
前記データベースは、ユーザ端末機からアクセスされたときにユーザ間で共通の音声メッセージを該ユーザ端末機に送信するか、または、各ユーザ別の音声メッセージを該ユーザ端末機に送信するかを示す設定情報を管理し、
前記送信手段は、前記設定情報に基づいて、ユーザ間で共通の音声メッセージまたは各ユーザ別の音声メッセージをユーザ端末機に送信することを特徴とする請求項１に記載のサービスサーバ。
【請求項３】
前記データベースは、音声メッセージを聞かせるユーザの名前、愛称などのユーザの呼称を管理し、
前記送信手段は、ユーザ端末機からアクセスを受けたとき、ユーザの呼称を含む音声メッセージをユーザ端末機に送信することを特徴とする請求項１に記載のサービスサーバ。
【請求項４】
前記データベースは、音声メッセージを聞かせるユーザの誕生日、施設の利用日、イベントの参加日などのユーザの記念日を管理し、
前記送信手段は、ユーザ端末機からアクセスを受けたとき、現在がユーザの記念日または該記念日の前後の所定期間内であるときに音声メッセージをユーザ端末機に送信することを特徴とする請求項３に記載のサービスサーバ。
【請求項５】
前記データベースは、年、月、日、曜日または季節ごとに互いに異なる音声メッセージを管理し、
前記送信手段は、ユーザ端末機からアクセスを受けたとき、現在の年、月、日、曜日または季節などの時節の移り変わりに応じて音声メッセージを切り替えてユーザ端末機に送信することを特徴とする請求項１に記載のサービスサーバ。
【請求項６】
前記データベースは、各アクセス情報ごとに互いに異なる複数の音声メッセージを管理し、
前記送信手段は、前記複数の音声メッセージの中からランダムに音声メッセージを選択してユーザ端末機に送信することを特徴とする請求項１に記載のサービスサーバ。
【請求項７】
前記データベースは、前記音声メッセージおよび再生条件を、予めグループ識別情報がそれぞれ決められた複数のグループに分類して管理し、
前記アクセス情報発行手段は、各グループごとに独立にアクセス情報を発行し、
前記送信手段は、ユーザ端末機から送信されたグループ識別情報と該グループ識別情報の示すグループ内におけるアクセス情報とに基づいて、該当する音声メッセージを前記データベースから読み出してユーザ端末機に送信することを特徴とする請求項１に記載のサービスサーバ。
【請求項８】
プリント注文を受け付けたユーザの画像を取得するステップと、
ユーザに聞かせる音声メッセージをユーザ端末機で再生する際の再生条件をデータベースに登録するステップと、
前記音声メッセージにアクセスするためのアクセス情報を発行して、該アクセス情報を前記再生条件と関連付けて前記データベースに登録するステップと、
前記プリント注文を受け付けた画像とともにアクセス情報をプリンタに送信して、これらの画像およびアクセス情報を同一のプリント媒体に記録させるステップと、
前記音声メッセージを取得して前記再生条件と関連付けて前記データベースに登録するステップと、
ユーザ端末機から前記プリント媒体に記録されているアクセス情報を用いてアクセスされたとき、現在の条件が前記データベースで管理されている再生条件に合致しているか否かを判定するステップと、
現在の条件が前記再生条件に合致していると判定したとき、前記データベースから前記音声メッセージを読み出して前記アクセスしたユーザ端末機に送信するステップと、
を含むことを特徴とするプリントサービス方法。
【発明の詳細な説明】
【技術分野】
【０００１】
本発明はサービスサーバおよびプリントサービス方法に係り、特に、ユーザからプリント注文を受け付けた画像に関連する音声メッセージを、携帯電話などのユーザ端末機にネットワークを介して配信するサービスサーバおよびプリントサービス方法に関する。
【背景技術】
【０００２】
従来、ポスターやタウン誌等の広告媒体に印刷されているＱＲコード（登録商標）等の２次元バーコードを撮影し、撮影した２次元バーコードを解読して情報を取得することのできるカメラ付き携帯電話が提案されている（特許文献１を参照）。
【０００３】
ユーザの名刺に名刺ＩＤを印刷するとともに、各ユーザの個人情報を名刺ＩＤに関連付けてサーバが管理し、携帯電話などから名刺ＩＤを用いてアクセスしたときに、その名刺ＩＤに対応する個人情報をサーバがアクセス元の携帯電話に配信するようにしたものも提案されている（特許文献２を参照）。
【特許文献１】特開２００２−１１８６８０号公報
【特許文献２】特開２００３−２３３７１２号公報
【発明の開示】
【発明が解決しようとする課題】
【０００４】
従来は、携帯電話などのユーザ端末機からバーコードなどを用いてアクセスしたときに、各バーコードごとに互いに独立した情報がネットワークを介して送られてくる一方で、その情報は一般に内容が固定であり、しかも、その固定情報はアクセスしたユーザ端末機に常に配信されて表示されるものであるから、誰でもどこでも取得できるにしても、どのような固定情報が送られてくるかを一旦知ってしまえば、面白みに欠け、ユーザの好奇心や期待感は減滅してしまい、次回からユーザはアクセスをしなくなってしまう。
【０００５】
例えば、ある広告媒体に印刷されているバーコードを用いて携帯電話からアクセスしたときに、「テーマパークＸにいらっしゃい」というような音声メッセージが、どのようなユーザ端末機に対しても、常時、配信されて再生されるならば、たとえテーマパークＸに興味を持っていたとしても、そのようなメッセージにユーザはうんざりとしてしまい、次回のアクセスをしようとしなくなる。
【０００６】
また、情報提供者側で一方的に決められた情報が、アクセスするユーザ側の事情に関係なく、無条件に送られてくるだけであるから、ユーザのニーズに合わない情報が再生される可能性も高い。
【０００７】
ところで、ユーザの撮影した画像が印刷された、いわゆる「写真プリント」は、印刷品質の面ではプリント注文したユーザを満足させるものが提供されている。しかしながら、写真プリントをただ眺めるだけでなく、もっと別な様々な楽しみ方ができれば、ユーザにとって愉快であり、様々な楽しみ方によりユーザの好奇心や期待感が刺激されれば、写真プリントの更なる需要の拡大につながる。また、情報提供者側の事業の更なる需要拡大や、ネットワークを介した通信の更なる需要拡大も求められている。
【０００８】
本発明はこのような事情に鑑みてなされたもので、ユーザの撮影した画像が印刷された写真プリントにより、ユーザは愉快に楽しむことができるとともに、サービス提供側の事業の需要拡大と併せて、ネットワークを介した通信の需要拡大、および、写真プリントの需要拡大を引き起こすことができるサービスサーバおよびプリントサービス方法を提供することを目的とする。
【課題を解決するための手段】
【０００９】
前記目的を達成するために、請求項１に記載の発明は、ユーザ端末機とネットワークを介して通信を行い、ユーザからプリント注文を受け付けた画像に関連する音声メッセージを該ユーザ端末機に配信するサービスサーバにおいて、ユーザに聞かせる音声メッセージおよび該音声メッセージの再生条件を管理するデータベースと、前記データベースで管理すべき音声メッセージおよび再生条件が入力される入力手段と、前記音声メッセージをネットワークを介して取得するためのアクセス情報を発行して、該アクセス情報を前記音声メッセージおよび再生条件と関連付けて前記データベースに管理させるアクセス情報発行手段と、前記プリント注文を受け付けた画像とともにアクセス情報をプリンタに送信して、これらの画像およびアクセス情報を同一のプリント媒体に記録させるプリンタ指示手段と、ユーザ端末機から前記プリント媒体に記録されているアクセス情報を用いてアクセスされたとき、現在の条件が前記データベースで管理されている再生条件に合致しているか否かを判定する判定手段と、現在の条件が前記再生条件に合致していると判定したとき、前記データベースから前記アクセス情報に対応する音声メッセージを読み出して前記アクセスしたユーザ端末機に送信する送信手段を備えた構成となっている。
【００１０】
ここで、アクセス情報は、周知のＵＲＬ（Uniform Resource Locator）に限らず、各システムで固有の特別なアクセス情報であってもよい。また、アクセス情報のプリント媒体への記録は、２次元バーコードの印刷に限らず、ユーザ端末機で入力可能なようにアクセス情報がプリント媒体に記録されるのであれば、他の記録態様であってもよい。例えば、プリント媒体に予め形成されたＩＣ（Integrated Circuit）タグにデジタルデータとして書き込む態様であってもよく、また、英数字からなる文字列を文字フォントで印刷する態様であってもよい。
【００１１】
また、音声メッセージは、人物の実際の音声を録音した音声データに限らず、他の音声データであってもよい。例えば、音声合成により生成した音声データや、演奏された音楽を録音したデータ、音符でも表現可能なデジタル音楽のデータであってもよい。
【００１２】
また、再生条件は、年、月、日、曜日や季節に関する条件に限らず、他の再生条件であってもよい。例えば、年、月、日、曜日や季節に併せて、時、分や場所についても条件を付加してもよい。ユーザに関する条件であればなお好ましい。
【００１３】
この構成によって、プリント注文を受け付けた画像とともにアクセス情報が同一のプリント媒体に記録され、このプリント媒体のアクセス情報を用いてユーザ端末機からアクセスしたときに、現在の条件がデータベースに管理されている再生条件に合致しているか否かが判定され、再生条件に合致したときにアクセス情報に対応する音声メッセージがユーザ端末機に送信されるので、ユーザはユーザ端末機でどのような音声メッセージが再生されるのか否か、好奇心や期待感をふくらませて音声メッセージを聞くことができるため、ユーザは愉快に楽しむことができるとともに、情報提供者の事業の需要拡大や、ネットワークを介した通信の需要拡大、写真プリントの需要拡大を引き起こすことが可能になる。
【００１４】
請求項２に記載の発明は、請求項１に記載の発明において、前記データベースは、ユーザ端末機からアクセスされたときにユーザ間で共通の音声メッセージを該ユーザ端末機に送信するか、または、各ユーザ別の音声メッセージを該ユーザ端末機に送信するかを示す設定情報を管理し、前記送信手段は、前記設定情報に基づいて、ユーザ間で共通の音声メッセージまたは各ユーザ別の音声メッセージをユーザ端末機に送信する構成となっている。
【００１５】
この構成によって、プリント注文のオーダごとやアクセス情報ごとに、データベースに対して予め行う設定によって、ユーザ間で共通の音声メッセージをユーザ端末機に送信するサービスと、各ユーザ別の音声メッセージをユーザ端末機に送信するサービスとで、サービスの差別化を図ることができ、ユーザは好みのサービスを選択することが可能になる一方で、サービス提供者は差別化したサービスの利用料金に格差を与えることも可能となる。
【００１６】
請求項３に記載の発明は、請求項１に記載の発明において、前記データベースは、音声メッセージを聞かせるユーザの名前、愛称などのユーザの呼称を管理し、前記送信手段は、ユーザ端末機からアクセスを受けたとき、ユーザの呼称を含む音声メッセージをユーザ端末機に送信する構成となっている。
【００１７】
ここで、ユーザの呼称は、名前（例えば「富士子」）に限らず、氏と名の両方を含んでいてもよく、氏のみ含んでいてもよく、あるいは、愛称や、略称などであってもよい。また、画像の被写体であるユーザの呼称を含んだ音声メッセージを送信する態様（例えば「富士子ちゃん、お元気ですか？・・・」）と、画像の撮影者あるいはプリント注文者であるユーザの呼称を含んで音声メッセージを送信する態様（例えば「富士子だけど、お元気ですか？・・・」）と、両ユーザの呼称を含んだ音声メッセージを送信する態様がある。
【００１８】
この構成によって、ユーザはアクセス情報を用いてアクセスすると、ユーザの呼称を含む特別な音声メッセージを聞くことができるので、ユーザの音声メッセージに対する注意力を向上させることができる一方で、ユーザは音声メッセージを聞いて愉快に楽しむことができる。
【００１９】
請求項４に記載の発明は、請求項３に記載の発明において、前記データベースは、音声メッセージを聞かせるユーザの誕生日、施設の利用日、イベントの参加日などのユーザの記念日を管理し、前記送信手段は、ユーザ端末機からアクセスを受けたとき、現在がユーザの記念日または該記念日の前後の所定期間内であるときに音声メッセージをユーザ端末機に送信する構成となっている。
【００２０】
ここで、記念日は、ユーザの誕生日、テーマパークなどの施設の利用日、および、各種イベントの参加日に限らず、他の記念日であってもよい。例えば、結婚記念日や、ユーザが自分で好き勝手に決めた記念日であってもよい。
【００２１】
この構成によって、ユーザがアクセス情報を用いてユーザ端末機によりアクセスすると、ユーザの記念日の当日あるいはその記念日の前後の所定期間に、特別な音声メッセージを聞くことができ、ユーザは写真プリントを単に眺めるだけでなくその音声メッセージを聞いて愉快に楽しむことができる。
【００２２】
請求項５に記載の発明は、請求項１に記載の発明において、前記データベースは、年、月、日、曜日または季節ごとに互いに異なる音声メッセージを管理し、前記送信手段は、ユーザ端末機からアクセスを受けたとき、現在の年、月、日、曜日または季節などの時節の移り変わりに応じて音声メッセージを切り替えてユーザ端末機に送信する構成となっている。
【００２３】
ここで、時節の移り変わりは、例えば、年、月、日、曜日、春夏秋冬、など一般ユーザに周知の時節の移り変わりに限らず、サービス提供者側で決めた特別な期間内であるか否か（例えばスポーツチームの優勝を記念したサービスの期間内であるか否か）であってもよい。
【００２４】
この構成によって、ユーザがアクセス情報を用いてユーザ端末機によりアクセスすると、時節の移り変わりに応じて切り替わる音声メッセージを聞くことができ、ユーザは写真プリントを単に眺めるだけでなくその音声メッセージを聞いて愉快に楽しむことができる。
【００２５】
請求項６に記載の発明は、請求項１に記載の発明において、前記データベースは、各アクセス情報ごとに互いに異なる複数の音声メッセージを管理し、前記送信手段は、前記複数の音声メッセージの中からランダムに音声メッセージを選択してユーザ端末機に送信する構成となっている。
【００２６】
この構成によって、ユーザがアクセス情報を用いてユーザ端末機によりアクセスすると、ランダムに再生される音声メッセージを聞くことができ、ユーザは写真プリントを単に眺めるだけでなくその音声メッセージを聞いて愉快に楽しむことができる。
【００２７】
請求項７に記載の発明は、請求項１に記載の発明において、前記データベースは、前記音声メッセージおよび再生条件を、予めグループ識別情報がそれぞれ決められた複数のグループに分類して管理し、前記アクセス情報発行手段は、各グループごとに独立にアクセス情報を発行し、前記送信手段は、ユーザ端末機から送信されたグループ識別情報と該グループ識別情報の示すグループ内におけるアクセス情報とに基づいて、該当する音声メッセージを前記データベースから読み出してユーザ端末機に送信する構成となっている。
【００２８】
この構成によって、グループごとにアクセス情報の発行および管理がなされるので、例えば、ひとつのサーバで複数の施設に対応してサービスを提供する際に、アクセス情報の長さに制限があるシステムであったとしても、限られたアクセス情報の範囲を複数の施設同士で分配する必要がなくなり、アクセス情報を枯渇させないような円滑な運用をすることが可能になる。
【００２９】
請求項８に記載の発明は、プリント注文を受け付けたユーザの画像を取得するステップと、ユーザに聞かせる音声メッセージをユーザ端末機で再生する際の再生条件をデータベースに登録するステップと、前記音声メッセージにアクセスするためのアクセス情報を発行して、該アクセス情報を前記再生条件と関連付けて前記データベースに登録するステップと、前記プリント注文を受け付けた画像とともにアクセス情報をプリンタに送信して、これらの画像およびアクセス情報を同一のプリント媒体に記録させるステップと、前記音声メッセージを取得して前記再生条件と関連付けて前記データベースに登録するステップと、ユーザ端末機から前記プリント媒体に記録されているアクセス情報を用いてアクセスされたとき、現在の条件が前記データベースで管理されている再生条件に合致しているか否かを判定するステップと、現在の条件が前記再生条件に合致していると判定したとき、前記データベースから前記音声メッセージを読み出して前記アクセスしたユーザ端末機に送信するステップを含む構成になっている。
【発明の効果】
【００３０】
本発明によれば、ユーザの撮影した画像が印刷された写真プリントにより、特別に得られる音声メッセージを聞いてユーザは愉快に楽しむことができるとともに、情報提供者の事業の需要拡大や、ネットワークを介した通信の需要拡大、写真プリントの需要拡大を引き起こすことが可能になる。
【発明を実施するための最良の形態】
【００３１】
以下、添付図面に従って本発明に係るサービスサーバを実施するための最良の実施の形態について、詳細に説明する。
【００３２】
図１は、本発明に係るサービスサーバを含むサービスシステムの例の全体構成図である。
【００３３】
図１において、主として、サービスサーバ１０、プリント装置２０、カメラ付き携帯電話（以下単に「携帯電話」という）３０、受付端末４０、および、登録端末５０が、それぞれネットワーク６０に接続されて、本実施形態のサービスシステムが構成されている。
【００３４】
サービスサーバ１０は、プリント装置２０、携帯電話３０、受付端末４０および登録端末５０とネットワーク６０を介して通信し、後述の受付端末４０で受け付けられたプリント注文に従った写真プリントをプリント装置２０に作成させるプリント処理や、後述の登録端末５０から入力された音声メッセージを携帯電話３０に配信するメッセージ配信処理など、各種サービス処理を行うものである。
【００３５】
プリント装置２０は、ユーザがプリント注文した画像を所定の用紙に印刷する際に、この画像に関連する音声メッセージの取得に必要なアクセス情報をユーザの画像とともに同一の用紙に印刷して、写真プリントを作成するものである。なお、プリント装置２０は、図１ではサービスサーバ１０とネットワーク６０を介して接続されているが、このような例に特に限定されず、例えばプリント装置２０とサービスサーバ１０とが一体で形成されていてもよい。
【００３６】
携帯電話３０は、被写体の撮影が可能なカメラ（図示を省略）が設けられており、このカメラは、ＱＲコード（登録商標）等の２次元バーコードの入力にも用いられる。また、携帯電話３０は、カメラにより入力された２次元バーコードを解読して、解読内容（アクセス情報を示す）に基づいて、サービスサーバ１０にネットワーク６０を介してアクセスし、サービスサーバ１０からネットワーク６０を介して音声メッセージを取得する。
【００３７】
受付端末４０は、主として、ユーザが撮影した画像のプリント注文を受け付けるための端末である。具体的には、第１に、印刷すべきユーザの画像、第２に、印刷態様を指定するプリント指定情報、第３に、ユーザに関するユーザ情報、第４に、携帯電話３０がサービスサーバ１０にアクセスしたときにユーザに聞かせる音声メッセージの再生条件、などをサービスサーバ１０に送信する。
【００３８】
登録端末５０は、主として、音声メッセージを登録するための端末である。また、音声メッセージとともに携帯電話３０に配信する他のコンテンツ、例えば、ベクターグラフィックスのアニメーションデータを含むコンテンツも登録可能である。
【００３９】
図２は、サービスサーバ１０の内部構成の例を示すブロック図である。図２において、サービスサーバ１０は、主として、通信部１１、制御部１２、および、各種のデータベース１３、１４、１５、１６を含んで構成される。なお、データベース１３、１４、１５，１６は、サービスサーバ１０の筐体内に含まれている必要はなく、例えば、サービスサーバ１０の遠隔に設置されて図１のネットワーク６０を介してサービスサーバ１０と接続されていてもよい。
【００４０】
画像情報データベース１３は、プリント注文の際に受付端末４０で受け付けられたユーザの画像を管理する。
【００４１】
ユーザ情報データベース１４は、ユーザ情報を管理する。さらに、ユーザ情報データベース１４は、携帯電話３０でユーザに聞かせる音声メッセージの再生条件を管理する。
【００４２】
ここで、ユーザ情報は、プリント注文したユーザや、各画像に写されたユーザ、写真プリントの配送先のユーザなどの各種ユーザに関する情報であり、例えば、ユーザの呼称（例えば、「富士子」などの名前や、愛称など）、および、ユーザの記念日（例えば、誕生日や、ユーザが施設を利用した日、ユーザが各種のイベントに参加した日など）を含む。作成した写真プリントを配送する場合には、配送先のユーザの実際の氏名、住所、電話番号など、写真プリントの配送や配送先ユーザとの連絡に必要な情報を含む。
【００４３】
再生条件は、例えば、ユーザの誕生日またはその前後の所定期間内に該当する音声メッセージを再生する、前回の施設利用日と同日またはその前後の所定期間内に該当する音声メッセージを再生する、前回のイベント参加日と同日またはその前後の所定期間内に該当する音声メッセージを再生する、などの各音声メッセージを再生する条件を示す。さらに詳細な再生条件、例えば、誕生日の１０日前から誕生日前日までの期間内には第１の音声メッセージを再生し、誕生日当日には第２の音声メッセージを再生するという再生条件としてもよい。誕生日の１０日前から誕生日まで音声メッセージが毎日切り替わるようにしてもよい。誕生日当日において数時間おきに、または、誕生日当日の携帯電話３０からのアクセスごとにランダムに、音声メッセージが切り替わるようにしてもよい。
【００４４】
課金情報データベース１５は、プリント指定情報や、ユーザに対する課金情報を管理する。
【００４５】
ここで、プリント指定情報は、プリント枚数、プリント種などを含んでおり、プリント装置２０で作成すべき写真プリントを指定する情報である。
【００４６】
音声データベース１６は、ユーザに聞かせる音声メッセージをアクセス情報ごとに管理する。また、音声メッセージとともに携帯電話３０に配信する他のコンテンツを音声メッセージと併せて管理する。例えば、周知のアニメーションのキャラクタの動作を表現した、ベクターグラフィックスのアニメーションデータを含むマルチメディアコンテンツを併せて管理する。
【００４７】
サービスサーバ１０の通信部１１は、ＨＴＴＰ（Hypertext Transfer Protocol）により携帯電話３０とネットワーク６０を介して通信可能である。通信部１１は、具体的には、携帯電話３０から、ネットワーク６０を介して、アクセス情報が入力されると、この携帯電話３０に、ネットワーク６０を介して、音声メッセージおよび音声メッセージとともに携帯電話３０で再生するコンテンツを出力する。
【００４８】
また、サービスサーバ１０の通信部１１には、ネットワーク６０を介して、受付端末４０から、ユーザの画像、プリント指定情報、ユーザ情報、および、音声メッセージの再生条件が入力される。また、通信部１１には、ネットワーク６０を介して、登録端末５０から、音声メッセージが入力される。さらに、通信部１１は、ネットワーク６０を介して、プリント装置２０に、ユーザの画像、プリント指定情報、および、アクセス情報を出力する。
【００４９】
サービスサーバ１０の制御部１２は、サービスサーバ１０内の各部を統括制御するものであり、携帯電話３０で実行されるブラウザ（閲覧ソフト）に対して各種の情報を提供する情報提供ソフトを含む。
【００５０】
サービスサーバ１０の制御部１２は、受付端末４０から入力（アップロード）されたユーザの画像を、画像情報データベース１３に登録する。また、受付端末４０から入力されたユーザ情報および音声メッセージの再生条件を、ユーザ情報データベース１４に登録する。また、受付端末４０から入力されたプリント指定情報を、課金情報データベース１５に登録する。なお、ユーザの画像、プリント指定情報、ユーザ情報、音声メッセージ、および、音声メッセージの再生条件は、互いに関連付けされてデータベース１３、１４、１５、１６で管理される。サービスサーバ１０の制御部１２は、このような関連付け制御を行う。例えば、オーダごと（プリント注文ごと）に、フォルダ名またはファイル名の全部または一部をデータベース１３、１４、１５、１６の間で同じ名称にして、ファイル管理を行うように制御する。
【００５１】
また、サービスサーバ１０の制御部１２は、ユーザの画像が入力（アップロード）されたときに、携帯電話３０が音声データベース１６に登録されている音声メッセージを取得するためのアクセスを発行して、このアクセス情報を、ユーザの画像、プリント指定情報、ユーザ情報、音声メッセージ、および、音声メッセージの再生条件と、オーダごとに関連付けて、ユーザ情報データベース１４に登録する。アクセス情報としては、例えば、ＵＲＬ（Uniform Resource Locator）を用いる。ＵＲＬの代わりに本サービス特有の形式の識別情報（例えば英数字からなる文字列）を用いてもよい。
【００５２】
また、サービスサーバ１０の制御部１２は、携帯電話３０から写真プリントに記録されているアクセス情報を用いてアクセスされたとき、現在の条件（例えば年月日や日時など）がユーザ情報データベース１４で管理されている再生条件に合致しているか否かを判定する。そして、現在の条件が再生条件に合致していると判定したとき、音声データベース１６からアクセス情報に対応する音声メッセージを読み出して、この音声メッセージをアクセスした携帯電話３０に対して通信部１１により送信する。
【００５３】
例えば、携帯電話３０からアクセスを受けたとき、現在がユーザの記念日または記念日の前後の所定期間内である場合にはアクセス情報に対応する音声メッセージを携帯電話３０に送信する。また、例えば、携帯電話３０からアクセスを受けたとき、現在の年、月、日、曜日または季節などの時節の移り変わりに応じて音声メッセージを切り替えて携帯電話３０に送信する。また、例えば、携帯電話３０からアクセスを受けたとき、ユーザの呼称を含む音声メッセージを送信する。また、例えば、複数の音声メッセージの中からアクセスごとにランダムに音声メッセージを選択して携帯電話３０に送信する。
【００５４】
また、携帯電話３０からアクセスされたときにユーザ間で共通の音声メッセージを携帯電話３０に送信するか、あるいは、各ユーザ別の音声メッセージを携帯電話３０に送信するかについて、オーダごと、または、アクセス情報ごとに、再生条件の一部を構成する設定情報として、ユーザ情報データベース１４に設定されている。この設定情報に基づいて、サービスサーバ１０の制御部１２は、通信部１１により、ユーザ間で共通の音声メッセージまたは各ユーザ別の音声メッセージを携帯電話３０に送信する。
【００５５】
なお、サービスサーバ１０の制御部１２によるアクセス情報発行の態様には各種あり、そのひとつの態様として、受付端末４０の設置場所などによりデータベースで管理する情報をグループ化し、各グループごとに独立にアクセス情報を発行する態様がある。具体的には、データベース１３、１４、１５、１６は、ユーザの画像、プリント指定情報、ユーザ情報、再生条件などを、予めグループ識別情報がそれぞれ決められた複数のグループに分類して管理し、制御部１２は、各グループごとに独立にアクセス情報を発行するとともに、携帯電話３０から送信されたグループ識別情報と該グループ識別情報の示すグループ内におけるアクセス情報とに基づいて、該当する音声メッセージを音声データベース１６から読み出して携帯電話３０に送信する。例えば、テーマパークごとにグループ化してサービスを提供する。
【００５６】
本発明のサービスサーバの構成要素と図２に例示したサービスサーバ１０の構成要素との対応関係を簡単に説明すると、入力手段および送信手段は主に通信部１１および制御部１２によって構成され、アクセス情報発行手段、プリンタ指示手段および判定手段は制御部１２によって構成されている。
【００５７】
図３には、４つの２次元バーコード２７Ａ、２７Ｂ、２７Ｃ、２７Ｄが四隅にそれぞれ印刷された写真プリント２６が示されている。
【００５８】
これらの４つの２次元バーコード２７Ａ、２７Ｂ、２７Ｃ、２７Ｄには、互いに異なる音声メッセージを取得するためのＵＲＬをそれぞれ埋め込むことができる。例えば、第１の２次元バーコードでアクセスされたときには「富士子ちゃん、お誕生日、もうすぐだね」、第２の２次元バーコードでアクセスされたときには「富士子ちゃん、あの夏のイベントは、楽しかったね」、第３の２次元バーコードでアクセスされたときには「何月何日から、新しい夏のイベント、やってるよ」、第４の２次元バーコードでアクセスされたときには「誕生日に来た人は、入場料が、半額になるよ」といった、各音声メッセージが、それぞれサービスサーバ１０から携帯電話３０に配信されるようにする。さらに、時節の移り変わりとともに音声メッセージが切り替わるようにすることも可能である。例えば、第１の２次元バーコードでアクセスされたときに、ユーザの誕生日の当日であれば、「富士子ちゃん、お誕生日、おめでとう」といった音声メッセージに切り替えて、新しい音声メッセージがサービスサーバ１０から携帯電話３０に配信されるようにする。また、季節が移り変われば、移り変わった季節のイベントに関する情報が音声メッセージで携帯電話３０に配信されるようになっており、例えば、クリスマスシーズン（１１月後半から１２月の２５日まで）にはクリスマスシーズンのイベントに関する情報が音声メッセージで携帯電話３０に配信される。
【００５９】
また、例えば、４つの２次元バーコードのうちの何れか１つ又は２つの２次元バーコードには周知のアニメーションキャラクタの音色、例えばネズミやネコに係るアニメーションキャラクタの声として一般に周知な音色の音声メッセージを取得するためのＵＲＬを埋め込み、他の２次元バーコードには、テーマパークなどの広告情報にアクセスさせるＵＲＬや、ＵＲＬ以外の情報（例えば「ハズレ」などの文字コード）を埋め込むことができる。広告にアクセスすると、最初のアクセスのみにポイントを加算する仕組みにし、ユーザにポイント還元する。
【００６０】
これにより、カードの銀剥がしのような感覚で、２次元バーコードを携帯電話３０などに読み込ませることができ、２次元バーコードが読み込まれて初めてどのような音声メッセージが出力されるのか分かるという楽しさが得られる。
【００６１】
また、携帯電話３０で撮影された画像のサイズは、百万画素を超えるものがある。一方で、画素数の少ない画像は、画質を維持するために小さく印刷する必要がある。この場合、写真プリントには大きな余白が生じるが、この余白部分に２次元バーコードを印刷することで、余白を有効に利用することができる。なお、余白が大きいほど、大きな２次元バーコードを印刷し、２次元バーコードに多くの情報を埋め込むことができる。
【００６２】
なお、図３の写真プリントにはユーザが撮影した画像が印刷されているが、このユーザの画像にフレーム素材などの素材画像を合成して印刷してもよい。例えば、周知のアニメーションキャラクタが表された画像を含むフレーム素材をユーザ画像に合成して印刷してもよい。
【００６３】
また、音声メッセージとともに他のコンテンツが携帯電話３０に配信されるようにしてもよい。例えば、ベクターグラフィックスのアニメーションデータを含むマルチメディアコンテンツが携帯電話３０に配信されるようにする。例えば、ネズミやネコなどに係るアニメーションキャラクタの音色の音声メッセージが配信される場合、そのネズミやネコに係るアニメーションキャラクタの動作の様子を表現したマルチメディアコンテンツが携帯電話３０に配信されてアニメーションが再生される。
【００６４】
以上説明したサービスシステムにおける具体的なサービスの流れについて、図４を用いて説明する。
【００６５】
受付端末４０でユーザからのプリント注文を受け付ける。
【００６６】
ここで、まず、ユーザの画像が取得されてサービスサーバ１０に送信される（Ｓ１）。なお、ユーザの画像を取得する態様（画像取得態様）には、以下のような各種の態様がある。
【００６７】
第１に、メモリカードなどの記録メディアを介してユーザの画像を取得する態様がある。例えば、ユーザの携帯電話やデジタルスチールカメラ等によって予め画像が記録された記録メディアを、受付端末４０の所定のスロットに挿入し、受付端末４０が記録メディアから画像を読み込んでサービスサーバ１０に送信する。
【００６８】
第２に、ユーザのカメラ付き携帯電話３０などと直接通信してユーザの画像を取得する態様がある。例えば、携帯電話３０内のメモリに予め画像が記録された状態で、受付端末４０が携帯電話３０と直接通信して画像を受信し、サービスサーバ１０に送信する。
【００６９】
第３に、ユーザの携帯電話３０などからネットワーク６０を介してユーザの画像を取得する態様がある。例えば、携帯電話３０から画像を添付した電子メールをサービスサーバ１０に送信する。
【００７０】
第４に、銀塩カメラによって画像が記録されたフイルムからユーザの画像を読み取って取得する態様がある。
【００７１】
サービスサーバ１０の通信部１１に入力されたユーザの画像は、画像情報データベース１３に登録される。
【００７２】
ここでは、第１の画像取得態様、すなわち、受付端末４０が記録メディアから画像を読み込んでサービスサーバ１０に送信する態様でユーザの画像が取得されたものとする。
【００７３】
画像のほかには、プリント指定情報、ユーザ情報、および、音声メッセージの再生条件が、受付端末４０によって取得されて、サービスサーバ１０に送信される（Ｓ２）。
【００７４】
ここで、プリント指定情報はデフォルトの情報であれば取得しない場合もある。また、ユーザ情報や再生条件は、ユーザ情報データベース１４に予め登録されている項目については、取得しない場合もある。また、再生条件は、プリント注文したユーザが選択する態様、サービスサーバ１０の管理者が選択する態様、および、サービスサーバ１０が自動的に選択する態様がある。
【００７５】
なお、画像、プリント指定情報、ユーザ情報および再生条件をひとまとめにして、「オーダ情報」ということもある。
【００７６】
オーダ情報を受信したサービスサーバ１０では、音声メッセージの取得に必要なアクセス情報が発行される（Ｓ３）。ここで、アクセス情報は、ＵＲＬであり、音声メッセージの取得に必要な通信プロトコル、音声メッセージを配信するサービスサーバ１０のドメイン名、および、音声メッセージの音声データベース内での格納場所を特定するための情報、を含む。
【００７７】
なお、図４に示す例では、アクセス情報を発行した時点では音声データベース１６には音声メッセージが未登録の状態であり、アクセス情報を発行した後に音声データベース１６に音声メッセージが登録される場合について示されている。なお、本発明は、このような例に特に限定されるものではなく、音声データベース１６に予め登録された音声メッセージについてアクセス情報を発行する場合もある。例えば、ユーザ間で共通の音声メッセージについてはその音声メッセージの全部が予め音声データベース１６に登録されている。一方で、ユーザ別の音声メッセージの場合には、ユーザに聞かせる音声メッセージの全部（例えば「ふじこちゃん、おたんじょうび、おめでとう」）を、後から、アニメーションキャラクタの声として周知の音色で人が発声して録音してもよい。また、ユーザに聞かせる音声メッセージの部品（例えば、周知の呼称である「ふじこちゃん」と、テンプレートである「おたんじょうび、おめでとう」）が別にして音声データベース１６に予め登録され、プリント注文を受け付けて音声メッセージの内容が決定したときに部品を合成して、全部（例えば「ふじこちゃん、おたんじょうび、おめでとう」）が完成されるようにしてもよいし、携帯電話３０に送信する直前に部品を合成して全部を完成するようにしてもよい。
【００７８】
プリント注文を受け付けたユーザの画像、プリント指定情報、および、アクセス情報が、サービスサーバ１０からプリント装置２０に送信される（Ｓ４）。ここで、アクセス情報は、サービスサーバ１０側で２次元バーコードにエンコードしてプリント装置２０に送るようにしてもよいし、プリント装置２０側で２次元バーコードにエンコードしてもよい。
【００７９】
プリント装置２０は、サービスサーバ１０から受信したユーザの画像、プリント指定情報およびアクセス情報に基づいて、写真プリントを作成する（Ｓ５）。ここで、サービスサーバ１０から受信したユーザの画像およびアクセス情報が同一の用紙に印刷される。作成された写真プリントは、プリント注文したユーザの指定に従った配送先に配送されるようにしてもよいし、プリント注文を受け付けた場所でプリント注文したユーザに直接渡すようにしてもよい。
【００８０】
一方で、音声メッセージが音声データベース１６に登録される（Ｓ６）。ここで、音声メッセージを登録する態様（音声メッセージの登録態様）には以下のような各種の態様がある。
【００８１】
第１に、音声入力用のマイクで収音することにより音声波形の音声メッセージを取得して、音声データベース１６に登録する態様がある。例えば、登録端末５０にオーダ情報を表示させて、このオーダ情報に従った音声メッセージを人が発声して録音し、サービスサーバ１０に送信する。例えば、ユーザの呼称（例えば「ふじこちゃん」）を含む誕生日を祝う音声メッセージ、「ふじこちゃん、おたんじょうび、おめでとう」という音声を、特定のアニメーションキャラクタの声として周知な音色で発声して録音する。
【００８２】
第２に、まず、音声メッセージの内容をテキストで形成して、このテキストに従って音声合成を行い、合成して得られた音声波形の音声メッセージを音声データベース１６に登録する態様がある。例えば、音声データベース１６には、周知の呼称である「ふじこちゃん」の音声波形と、テンプレートの「おたんじょうび、おめでとう」の音声波形が予め登録されており、これらを組み合わせて、「ふじこちゃん、おたんじょうび、おめでとう」という音声波形の音声メッセージを完成してもよい。ほかには、「ふじこちゃん、おたんじょうび、おめでとう」というテキストを形成した後に、特定の人物の音声から採集された母音や子音などの音声素片の音声波形を重畳して、最終的な音声波形の音声メッセージを完成する方法もあり得る。
【００８３】
なお、音声データベース１６には、音声メッセージとともに携帯電話３０に送信すべきコンテンツを登録しておいてもよい。例えば、ベクターグラフィックスのアニメーションデータからなるコンテンツを音声メッセージと関連付けておく。
【００８４】
続いて、携帯電話３０でアクセス情報を用いてサービスサーバ１０にアクセスする際の処理について説明する。
【００８５】
アクセス情報付きの写真プリントを所持したユーザは、携帯電話３０をアクセス情報の読取モードにして、携帯電話３０に写真プリント上のアクセス情報を読み取らせる（Ｓ７）。具体的には、携帯電話３０に付属のカメラによって、写真プリント上の２次元バーコードが入力され、この２次元バーコードが携帯電話３０で解読されることにより、音声メッセージなどの取得に必要なＵＲＬが得られる。このＵＲＬには、音声メッセージの取得に必要な通信プロトコル、音声メッセージを配信するサービスサーバ１０のドメイン名、および、音声データベース１６内での音声メッセージなどの格納場所を特定するための情報が含まれている。
【００８６】
読み取られたアクセス情報を使用してアクセスすると（Ｓ８）、サービスサーバ１０は、まず、このアクセス情報と関連付けられている再生条件をユーザ情報データベース１４から取得して、現在の条件がユーザ情報データベース１４で管理されている再生条件に合致しているか否かを判定する（Ｓ９）。例えば、現在がユーザの誕生日の１０日前から前日までの期間内であるか否かを判定する。また、例えば、現在がユーザの誕生日の当日であるか否かを判定する。現在の条件が再生条件に合致していると判定されたとき、アクセス情報と関連付けられている音声メッセージが音声データベース１６から読み出されて、携帯電話３０に送信される（Ｓ１０）。携帯電話３０に配信すべきものとして、音声メッセージ以外のコンテンツがある場合には、そのコンテンツも携帯電話３０に送信される。
【００８７】
携帯電話３０では、サービスサーバ１０から送信された音声メッセージが音声として出力される（Ｓ１１）、さらに、この音声メッセージとともにサービスサーバ１０から送信されたコンテンツが再生される。
【００８８】
例えば、ユーザの誕生日の１０日前から前日までの期間内であれば、特定のアニメーションキャラクタの声として周知の音声で録音または音声合成された、「ふじこちゃん、おたんじょうび、もうすぐだね」という音声メッセージが流れる。ユーザの誕生日の当日であれば、「ふじこちゃん、おたんじょうび、おめでとう」という音声メッセージが流れ、さらに、携帯電話３０の画面には、お誕生日を祝うアニメーションキャラクタの動作を表現したベクターフィックスのアニメーションデータからなるマルチメディアコンテンツが再生される。このマルチメディアコンテンツは、インタラクティブ、すなわちユーザの携帯電話３０での操作に反応するように、予め作成しておくことも可能である。ユーザの携帯電話３０での操作に応じて、ユーザ宛ての続きの音声メッセージがさらに出力されるようにしてもよい。
【００８９】
なお、アクセス情報は、２次元バーコードとして画像の近傍に印刷する場合に限らず、不可視の状態で画像内に埋め込むようにしてもよい。この場合には、画像の中心に埋め込むのが好ましい。
【００９０】
また、アクセス情報は、用紙に形成されたＩＣタグに書き込むようにしてもよい。この場合、プリント装置２０には、ＩＣタグにアクセス情報を書き込むための書込手段を設ける。また、携帯電話３０には、ＩＣタグからアクセス情報を読み込むための読込手段が設けられる。
【００９１】
また、ユーザ端末機は、携帯電話３０に限るものではなく、例えばＰＤＡ（Personal Digital Assistants）であってもよい。
【００９２】
また、ユーザの画像を取得した時点で、画像に各種の付加情報がすでに付加されている場合があり、画像情報データベース１３で画像と付加情報とを関連付けて管理し、携帯電話３０からアクセスされたときに、ユーザの画像およびその画像に付加されていた付加情報を、携帯電話３０に送信可能に構成してもよい。画像の付加情報としては、例えば、撮影時または撮影後にユーザが携帯電話３０などで録音した音声情報、文字情報、バックグラウンドミュージック、撮影位置を示す位置情報、および、印刷すべき静止画像の抽出元の動画像などがある。
【００９３】
その他、本発明は、図で示した例や実施形態として説明した例に限定されるものではなく、本発明の要旨に従って適宜設計変更や改良を施して実施してよいことはもちろんである。
【図面の簡単な説明】
【００９４】
【図１】本発明に係る一実施形態のサービスサーバを含むサービスシステムの全体構成図
【図２】本発明に係る一実施形態のサービスサーバの内部構成の例を示すブロック図
【図３】アクセス情報の印刷された写真プリントの例を示す図
【図４】サービスの例の処理の流れを示す説明図
【符号の説明】
【００９５】
１０…サービスサーバ、１１…サービスサーバの通信部（入力手段、送信手段）、１２…サービスサーバの制御部（入力手段、アクセス情報発行手段、プリンタ指示手段、判定手段、送信手段）、１３…画像情報データベース、１４…ユーザ情報データベース、１５…課金情報データベース、１６…音声データベース、２０…プリント装置、２３…画像、２４…２次元バーコード、２５…写真プリント、３０…携帯電話（ユーザ端末機）、４０…受付端末、５０…登録端末、６０…ネットワーク
【図１】
2005182379.tif 000003
【図２】
2005182379.tif 000004
【図３】
2005182379.tif 000005
【図４】
2005182379.tif 000006